(57)【要約】【課題】引き紐を含まずにユーザがスクリーンを直接制御することができる無引き紐式ロールスクリーンを提供する。【解決手段】無引き紐式ロールスクリーンは、第１の枢着座１、第２の枢着座２、位置規制機構３及びロールスクリーン本体４を備える。第１の枢着座１は、第１の支点部１１と、第１の支点部１１に隣接した第２の支点部１２とを有する。第２の枢着座２は、第１の枢着座１に対応する。位置規制機構３は、第１の枢着座１の第１の支点部１１に配置された渦巻ばね３１と、第１の枢着座１の第２の支点部１２に回動自在に設けられた巻取り部材３２とを含む。渦巻ばね３１の端部は巻取り部材３２に接続される。ロールスクリーン本体４は、巻軸４１及びスクリーン４２を有する。巻軸４１は、一端が位置規制機構３の巻取り部材３２に接続され、他端が第２の枢着座２に回動自在に接続される。【選択図】図２
0003174357.tif 000002
【実用新案登録請求の範囲】
【請求項１】
第１の枢着座、第２の枢着座、位置規制機構及びロールスクリーン本体を備えた無引き紐式ロールスクリーンであって、
前記第１の枢着座は、第１の支点部と、前記第１の支点部に隣接した第２の支点部と、を有し、
前記第２の枢着座は、前記第１の枢着座に対応し、
前記位置規制機構は、前記第１の枢着座の前記第１の支点部に配置された渦巻ばねと、前記第１の枢着座の前記第２の支点部に回動自在に設けられた巻取り部材と、を含み、前記渦巻ばねの端部が巻取り部材に接続され、
前記ロールスクリーン本体は、巻軸及びスクリーンを有し、前記巻軸は、一端が前記位置規制機構の前記巻取り部材に接続され、他端が前記第２の枢着座に回動自在に接続され、前記スクリーンは、前記巻軸に接続された固定端と、垂れ下がった自由端と、を有することを特徴とする無引き紐式ロールスクリーン。
【請求項２】
前記第１の支点部は、前記第１の枢着座に接続された第１の杆体であり、
前記第２の支点部は、前記第１の枢着座に接続された第２の杆体であり、
前記渦巻ばねは、前記第１の杆体に外嵌され、
前記巻取り部材は、前記第２の杆体へ回動自在に外嵌されることを特徴とする請求項１に記載の無引き紐式ロールスクリーン。
【請求項３】
前記位置規制機構は、前記渦巻ばねを両側から挟むストッパを有することを特徴とする請求項１に記載の無引き紐式ロールスクリーン。
【請求項４】
前記巻取り部材は、心軸及び巻取り軸を有し、
前記心軸は、前記第２の支点部に回動自在に設けられ、
前記巻取り軸は、前記心軸に接続され、
前記渦巻ばねの一端を前記巻取り軸へ接続することを特徴とする請求項１に記載の無引き紐式ロールスクリーン。
【請求項５】
前記位置規制機構は、一端が前記巻取り部材に接続され、他端が前記巻軸の端部に接続された連動軸を有することを特徴とする請求項１に記載の無引き紐式ロールスクリーン。
【請求項６】
前記位置規制機構は、前記第１の枢着座に接続されるとともに、前記渦巻ばね及び前記巻取り部材を覆う筺体を有することを特徴とする請求項１に記載の無引き紐式ロールスクリーン。
【請求項７】
前記第２の枢着座は、軸孔を有し、
前記ロールスクリーン本体の前記巻軸の端部には、前記軸孔に対応した箇所に伸縮軸が設けられ、前記伸縮軸と前記軸孔とを突合わせることが可能なことを特徴とする請求項１に記載の無引き紐式ロールスクリーン。
【請求項８】
前記ロールスクリーン本体の前記スクリーンの前記自由端には、おもり杆及び引き下げ部が接続されていることを特徴とする請求項１に記載の無引き紐式ロールスクリーン。
【請求項９】
前記引き下げ部は、前記おもり杆に接続されることを特徴とする請求項８に記載の無引き紐式ロールスクリーン。
【考案の詳細な説明】
【技術分野】
【０００１】
本考案は、ロールスクリーンに関し、特に、ユーザが引き紐を使わずにスクリーンを直接制御することができる無引き紐式ロールスクリーンに関する。
【背景技術】
【０００２】
従来のロールスクリーン（ローマンシェード）は、スクリーンを鉛直方向で上げ下げさせることが可能であり、その構造には、横杆、引き紐ユニット及びスクリーンが含まれていることが一般的である。横杆は、ユーザが所望する箇所に自在に取り付けることができる。引き紐ユニットには、複数本の引き紐及び昇降紐が含まれている。スクリーンは、複数のスクリーン用の布からなり、一端が横杆に接続され、引き紐ユニットにより他端を制御することにより鉛直方向で上げ下げさせることができる。しかし、ユーザは、スクリーンの高さを調整するために、引き紐ユニットを引く必要がある。
【０００３】
従来のロールスクリーン（ローマンシェード）は、スクリーンの上げ下げを制御するために用いる引き紐ユニットを有する。そのため、引き紐ユニット（引き紐及び昇降紐）がロールスクリーンの側部又はその他手が届き易い場所に鉛直方向に設置されていた。そのため、従来のロールスクリーン（ローマンシェード）は、幼児又は児童が好奇心から引き紐ユニットで遊び始め、遊んでいる最中に不注意により首に巻きついて絞まる事故が発生することがあり、安全上問題があった。さらに、従来の引き紐ユニットは、複数本の引き紐、昇降紐などを備えることが一般的であるため、子供が遊んだり大人が正常でない使い方をした場合、引き紐が絡まって使用が不便となることがある。
【考案の概要】
【考案が解決しようとする課題】
【０００４】
そのため、従来技術のロールスクリーンの安全上の問題が発生しないように、引き紐を使用せずに操作が簡便な無引き紐式ロールスクリーンが求められていた。
【０００５】
本考案の目的は、第１の枢着座、第２の枢着座、位置規制機構及びロールスクリーン本体の組み合わせにより、ユーザは従来技術のように引き紐を使用しなくとも、スクリーンを上げ下げして位置規制機構によりスクリーンを所望の高さで位置決めし、安全かつ簡易に操作することができる無引き紐式ロールスクリーンを提供することにある。
【課題を解決するための手段】
【０００６】
上記課題を解決するために、本考案の第１の形態によれば、第１の枢着座、第２の枢着座、位置規制機構及びロールスクリーン本体を備えた無引き紐式ロールスクリーンであって、前記第１の枢着座は、第１の支点部と、前記第１の支点部に隣接した第２の支点部と、を有し、前記第２の枢着座は、前記第１の枢着座に対応し、前記位置規制機構は、前記第１の枢着座の前記第１の支点部に配置された渦巻ばねと、前記第１の枢着座の前記第２の支点部に回動自在に設けられた巻取り部材と、を含み、前記渦巻ばねの端部が巻取り部材に接続され、前記ロールスクリーン本体は、巻軸及びスクリーンを有し、前記巻軸は、一端が前記位置規制機構の前記巻取り部材に接続され、他端が前記第２の枢着座に回動自在に接続され、前記スクリーンは、前記巻軸に接続された固定端と、垂れ下がった自由端と、を有することを特徴とする無引き紐式ロールスクリーンが提供される。
【０００７】
また、前記第１の支点部は、前記第１の枢着座に接続された第１の杆体であり、前記第２の支点部は、前記第１の枢着座に接続された第２の杆体であり、前記渦巻ばねは、前記第１の杆体に外嵌され、前記巻取り部材は、前記第２の杆体へ回動自在に外嵌されることが好ましい。
【０００８】
また、前記位置規制機構は、前記渦巻ばねを両側から挟むストッパを有することが好ましい。
【０００９】
また、前記巻取り部材は、心軸及び巻取り軸を有し、前記心軸は、前記第２の支点部に回動自在に設けられ、前記巻取り軸は、前記心軸に接続され、前記渦巻ばねの一端を前記巻取り軸へ接続することが好ましい。
【００１０】
また、前記位置規制機構は、一端が前記巻取り部材に接続され、他端が前記巻軸の端部に接続された連動軸を有することが好ましい。
【００１１】
また、前記位置規制機構は、前記第１の枢着座に接続されるとともに、前記渦巻ばね及び前記巻取り部材を覆う筺体を有することが好ましい。
【００１２】
また、前記第２の枢着座は、軸孔を有し、前記ロールスクリーン本体の前記巻軸の端部には、前記軸孔に対応した箇所に伸縮軸が設けられ、前記伸縮軸と前記軸孔とを突合わせることが可能なことが好ましい。
【００１３】
また、前記ロールスクリーン本体の前記スクリーンの前記自由端には、おもり杆及び引き下げ部が接続されていることが好ましい。
【００１４】
また、前記引き下げ部は、前記おもり杆に接続されることが好ましい。
【考案の効果】
【００１５】
本考案の無引き紐式ロールスクリーンは、第１の枢着座及び第２の枢着座が所定の箇所（例えば、窓の上方など）に固定され、ロールスクリーン本体のスクリーンが自然に吊り下げられているため、ユーザは、ツールを用いてスクリーンを制御して直接上げ下げし、位置規制機構によりスクリーンを所望の高さで位置決めさせることができる。そのため、本考案は従来技術のように引き紐を使用する必要がなく安全である。さらに、本考案の無引き紐式ロールスクリーンは、従来技術のように複数の引き紐のなかから１本を選択したり紐が絡まったりすることがなく、直感的にスクリーンを上げ下げすることができるため、簡便に使用することができる。
【図面の簡単な説明】
【００１６】
【図１】本考案の一実施形態による無引き紐式ロールスクリーンを示す斜視図である。
【図２】本考案の一実施形態による無引き紐式ロールスクリーンを示す分解斜視図である。
【図３】本考案の一実施形態による無引き紐式ロールスクリーンの位置規制機構を示す断面図である。
【図４】本考案の一実施形態による無引き紐式ロールスクリーンを使用するときの状態を示す斜視図である。
【図５】本考案の一実施形態による無引き紐式ロールスクリーンの位置規制機構を使用するときの状態を示す断面図である。
【考案を実施するための形態】
【００１７】
以下、本考案の実施形態について図に基づいて説明する。なお、これによって本考案が限定されるものではない。
【００１８】
図１〜図３を参照する。図１〜図３に示すように、本考案の一実施形態による無引き紐式ロールスクリーンは、少なくとも第１の枢着座１、第２の枢着座２、位置規制機構３及びロールスクリーン本体４から構成される。
【００１９】
第１の枢着座１は、壁上に固定するベースとして用い、第１の支点部１１と、第１の支点部１１に隣接した第２の支点部１２と、を有する。第１の支点部１１は、第１の枢着座１に接続された第１の杆体１１１である。第２の支点部１２は、第１の枢着座１に接続された第２の杆体１２１である。
【００２０】
第２の枢着座２は、第１の枢着座１のベースに対応し、壁上に固定するために用いるとともに、第１の枢着座１と第２の枢着座２との間にロールスクリーン本体４が回動自在に設けられている。
【００２１】
位置規制機構３は、第１の枢着座１の第１の支点部１１に配置された渦巻ばね３１と、第１の枢着座１の第２の支点部１２に回動自在に設けられた巻取り部材３２と、を含む。渦巻ばね３１は、第１の支点部１１の第１の杆体１１１に外嵌され、渦巻ばね３１の端部を巻取り部材３２へ接続させる。巻取り部材３２は、第２の支点部１２の第２の杆体１２１へ回動自在に外嵌され、渦巻ばね３１を巻き取ったり放出したりするために用いる。
【００２２】
ロールスクリーン本体４は、巻軸４１及びスクリーン４２を有する。巻軸４１は、一端が位置規制機構３の巻取り部材３２に接続され、他端が第２の枢着座２に回動自在に接続されている。スクリーン４２は、巻軸４１に接続された固定端と、垂れ下がった自由端４２１と、を有する。
【００２３】
本実施形態の無引き紐式ロールスクリーンは、上述の第１の枢着座１、第２の枢着座２、位置規制機構３及びロールスクリーン本体４により構成されるため、従来技術で使用していた引き紐を含まない上、ユーザがスクリーン４２の上げ下げを直接制御することができるため、安全かつ簡便に制御することができる。
【００２４】
図２及び図３を参照する。図２及び図３に示すように、本考案の一実施形態による無引き紐式ロールスクリーンの巻取り部材３２は、心軸３２１及び巻取り軸３２２を含む。心軸３２１は、第１の枢着座１の第２の支点部１２の第２の杆体１２１へ回動自在に設けられている。巻取り軸３２２は、心軸３２１へ接続させることにより、渦巻ばね３１の一端を巻取り軸３２２へ接続し、この巻取り軸３２２により渦巻ばね３１を巻き取ったり放出したりしてロールスクリーン本体４の制御を行う。
【００２５】
図２及び図３を参照する。図２及び図３に示すように、本考案の一実施形態による無引き紐式ロールスクリーンの位置規制機構３は、渦巻ばね３１を両側から挟むストッパ３３を含む。このストッパ３３は、渦巻ばね３１をスムーズに放出したり巻き取ったりしたりするために用いる。本実施形態の位置規制機構３は、連動軸３４を含む。この連動軸３４は、一端が巻取り部材３２の心軸３２１に接続され、他端がロールスクリーン本体４の巻軸４１の端部に接続され、巻軸４１が連動軸３４を介して巻取り部材３２と連動し、スクリーン４２の制御を行う。本実施形態の位置規制機構３は、第１の枢着座１に接続されるとともに、渦巻ばね３１及び巻取り部材３２を覆う筺体３５を含む。
【００２６】
図２及び図３を参照する。図２及び図３に示すように、本考案の一実施形態による無引き紐式ロールスクリーンは、軸孔２１を有する第２の枢着座２を含む。ロールスクリーン本体４の巻軸４１の端部には、軸孔２１に対応した箇所に伸縮軸４１１が設けられている。伸縮軸４１１と軸孔２１とは、突合わせることができるため、巻軸４１を便利に組み合わせることができる上、巻軸４１が回動可能となる。本実施形態はロールスクリーン本体４のスクリーン４２の自由端４２１を含む。この自由端４２１には、おもり杆４３及び引き下げ部４４が接続されている。この引き下げ部４４は、おもり杆４３の中央部に接続され、ユーザが下へ引っ張ったり上へ押し上げたりしてスクリーン４２の高さを調整するために用いる。
【００２７】
図４及び図５を参照する。図４及び図５に示すように、本考案の一実施形態による無引き紐式ロールスクリーンを実際に使用する際、ツール１０を手で持ち、スクリーン４２の下端に設けられた引き下げ部４４へ係合させてスクリーン４２の自由端４２１を引き下げると、巻軸４１は、同期で位置規制機構３の巻取り部材３２により渦巻ばね３１を巻き取ることができる。ユーザがスクリーン４２を所望の高さにしてから力を抜くと、スクリーン４２及び（又は）おもり杆４３の重量と、渦巻ばね３１の弾性回復力とが均衡し、ユーザの所望する高さへスクリーン４２を位置決めさせることができる。反対に、ユーザがおもり杆４３を上へ押し上げると、渦巻ばね３１により巻取り部材３２及び巻軸４１が同期で巻き取られ、巻軸４１によりスクリーン４２を巻き取ることができる。このように、スクリーン４２を高い位置まで巻き取ることができる。
【００２８】
本実施形態の無引き紐式ロールスクリーンは、第１の枢着座１、第２の枢着座２、位置規制機構３及びロールスクリーン本体４の組み合わせにより、従来技術のように引き紐によりスクリーン４２の上げ下げをユーザが直接制御するのではなく、位置規制機構３によりスクリーン４２の高低位置を調整することができるため、操作を安全かつ簡便に行うことができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１  第１の枢着座、２  第２の枢着座、３  位置規制機構、４  ロールスクリーン本体、１０  ツール、１１  第１の支点部、１２  第２の支点部、２１  軸孔、３１  渦巻ばね、３２  巻取り部材、３３  ストッパ、３４  連動軸、３５  筺体、４１  巻軸、４２  スクリーン、４３  おもり杆、４４  引き下げ部、１１１  第１の杆体、１２１  第２の杆体、３２１  心軸、３２２  巻取り軸、４１１  伸縮軸、４２１  自由端。
【図１】
0003174357.tif 000003
【図２】
0003174357.tif 000004
【図３】
0003174357.tif 000005
【図４】
0003174357.tif 000006
【図５】
0003174357.tif 000007